(57)【要約】【課題】筐体に対して電子部品を適正に組み付けることができる電気接続箱、及び、ワイヤハーネスを提供することを目的とする。【解決手段】ワイヤハーネスＷＨに適用される電気接続箱１は、内部に形成され第１電子部品２１を収容する収容空間部３４、及び、収容空間部３４の鉛直方向下方に区画壁部３８を介して区画されると共に水平方向一方側が閉塞し水平方向他方側に開口部３６ａが形成され第２電子部品２２を収容する収容凹部３６を有する筐体３と、第２電子部品２２が収容凹部３６内に収容された状態で当該収容凹部３６内に位置し第２電子部品２２と筐体３とを係止する係止機構４とを備えることを特徴とする。【選択図】図１
2016208675.tif 000002
【特許請求の範囲】
【請求項１】
内部に形成され第１電子部品を収容する収容空間部、及び、前記収容空間部の鉛直方向下方に区画壁部を介して区画されると共に水平方向一方側が閉塞し水平方向他方側に開口部が形成され第２電子部品を収容する収容凹部を有する筐体と、
前記第２電子部品が前記収容凹部内に収容された状態で当該収容凹部内に位置し前記第２電子部品と前記筐体とを係止する係止機構とを備えることを特徴とする、
電気接続箱。
【請求項２】
前記収容凹部は、当該収容凹部を形成する壁面によって前記第２電子部品の、前記開口部側の面以外の面を囲う、
請求項１に記載の電気接続箱。
【請求項３】
前記係止機構は、前記収容凹部内に前記開口部側から奥側に水平方向に沿って形成される筐体側案内部と前記第２電子部品に形成され前記筐体側案内部と係合し水平方向に沿って案内される電子部品側案内部とを含んで構成される案内部、及び、前記収容凹部内に形成される筐体側係止部と前記第２電子部品に形成され前記筐体側係止部に係止される電子部品側係止部とを含んで構成される係止部を有する、
請求項１又は請求項２に記載の電気接続箱。
【請求項４】
複数の電線と、
内部に形成され前記複数の電線のうちの１つが接続される第１電子部品を収容する収容空間部、及び、前記収容空間部の鉛直方向下方に区画壁部を介して区画されると共に水平方向一方側が閉塞し水平方向他方側に開口部が形成され前記複数の電線のうちの他の１つが接続される第２電子部品を収容する収容凹部を有する筐体と、前記第２電子部品が前記収容凹部内に収容された状態で当該収容凹部内に位置し前記第２電子部品と前記筐体とを係止する係止機構とを含んで構成される電気接続箱とを備えることを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、電気部品（電子部品）を取り付ける箱本体（筐体）と、この箱本体に取り付けられかつ車体パネルに向かって延在した脚部を備えたロアカバーとを備えた電気接続箱が開示されている。この電気接続箱は、ロアカバーの底面に質量体を取り付ける質量体取付部が設けられている。
【先行技術文献】
【特許文献】
【０００３】
【特許文献１】特開２０１０−２８８３６８号公報
【発明の概要】
【発明が解決しようとする課題】
【０００４】
ところで、上述の特許文献１に記載の電気接続箱は、例えば、電子部品として、比較的に質量が大きい重量物が設けられる場合であっても、筐体に対して当該電子部品が適正に組み付けられることが望まれている。
【０００５】
本発明は、上記の事情に鑑みてなされたものであって、筐体に対して電子部品を適正に組み付けることができる電気接続箱、及び、ワイヤハーネスを提供することを目的とする。
【課題を解決するための手段】
【０００６】
上記目的を達成するために、本発明に係る電気接続箱は、内部に形成され第１電子部品を収容する収容空間部、及び、前記収容空間部の鉛直方向下方に区画壁部を介して区画されると共に水平方向一方側が閉塞し水平方向他方側に開口部が形成され第２電子部品を収容する収容凹部を有する筐体と、前記第２電子部品が前記収容凹部内に収容された状態で当該収容凹部内に位置し前記第２電子部品と前記筐体とを係止する係止機構とを備えることを特徴とする。
【０００７】
また、上記電気接続箱では、前記収容凹部は、当該収容凹部を形成する壁面によって前記第２電子部品の、前記開口部側の面以外の面を囲うものとすることができる。
【０００８】
また、上記電気接続箱では、前記係止機構は、前記収容凹部内に前記開口部側から奥側に水平方向に沿って形成される筐体側案内部と前記第２電子部品に形成され前記筐体側案内部と係合し水平方向に沿って案内される電子部品側案内部とを含んで構成される案内部、及び、前記収容凹部内に形成される筐体側係止部と前記第２電子部品に形成され前記筐体側係止部に係止される電子部品側係止部とを含んで構成される係止部を有するものとすることができる。
【０００９】
上記目的を達成するために、本発明に係るワイヤハーネスは、複数の電線と、内部に形成され前記複数の電線のうちの１つが接続される第１電子部品を収容する収容空間部、及び、前記収容空間部の鉛直方向下方に区画壁部を介して区画されると共に水平方向一方側が閉塞し水平方向他方側に開口部が形成され前記複数の電線のうちの他の１つが接続される第２電子部品を収容する収容凹部を有する筐体と、前記第２電子部品が前記収容凹部内に収容された状態で当該収容凹部内に位置し前記第２電子部品と前記筐体とを係止する係止機構とを含んで構成される電気接続箱と備えることを特徴とする。
【発明の効果】
【００１０】
本発明に係る電気接続箱、及び、ワイヤハーネスは、筐体の内部に形成された収容空間部内に第１電子部品を収容し、収容空間部の鉛直方向下方に区画壁部を介して区画される収容凹部内に第２電子部品を収容する。ここで、第２電子部品を収容する収容凹部は、水平方向一方側が閉塞し水平方向他方側に開口部が形成され、水平方向に開口した当該開口部を介して水平方向に沿って第２電子部品が挿入され、係止機構は、当該収容凹部内にて、収容凹部に挿入された第２電子部品と筐体とを係止する。この結果、電気接続箱、ワイヤハーネスは、筐体に対して電子部品を適正に組み付けることができる、という効果を奏する。
【図面の簡単な説明】
【００１１】
【図１】図１は、実施形態に係る電気接続箱の概略構成を表す斜視図である。
【図２】図２は、実施形態に係る電気接続箱の概略構成を表す断面図である。
【図３】図３は、実施形態に係る電気接続箱の係止機構を含む部分断面図である。
【図４】図４は、実施形態に係る電気接続箱の収容凹部を含む部分斜視図である。
【図５】図５は、実施形態に係る電気接続箱の第２電子部品の概略構成を表す斜視図である。
【図６】図６は、実施形態に係る電気接続箱の第２電子部品の概略構成を表す斜視図である。
【図７】図７は、実施形態に係る電気接続箱の係止機構を含む部分断面斜視図である。
【図８】図８は、実施形態に係る電気接続箱の係止機構を含む部分断面斜視図である。
【図９】図９は、実施形態に係る電気接続箱の係止機構を含む部分断面斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係る電気接続箱の概略構成を表す斜視図である。図２は、実施形態に係る電気接続箱の概略構成を表す断面図である。図３は、実施形態に係る電気接続箱の係止機構を含む部分断面図である。図４は、実施形態に係る電気接続箱の収容凹部を含む部分斜視図である。図５、図６は、実施形態に係る電気接続箱の第２電子部品の概略構成を表す斜視図である。図７、図８、図９は、実施形態に係る電気接続箱の係止機構を含む部分断面斜視図である。なお、図１は、わかり易くするためにアッパカバー、電線を二点鎖線で図示している。同様に、図２は、わかり易くするためにブロック、第１電子部品を二点鎖線で図示している。さらに、第２電子部品の断面形状は、一部を簡略化して図示している。
【００１４】
図１、図２に示す電気接続箱１は、自動車等の車両に搭載され、ワイヤハーネスＷＨに組み込まれ、電線等の接続処理用部品を構成するコネクタ、ヒューズ、リレー、コンデンサ、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。また、以下の説明で用いる各方向は、特に断りの無い限り、電気接続箱１が車両に搭載された状態での方向として説明し、例えば、以下でいう鉛直方向、鉛直方向下端部、鉛直方向上端部、鉛直方向上側、鉛直方向下側とは、電気接続箱１が車両に搭載された状態における鉛直方向、鉛直方向下端部、鉛直方向上端部、鉛直方向上側、鉛直方向下側をいう。
【００１５】
ここで、ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、当該電線Ｗと電気的に接続される電気接続箱１とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約すると共に、束ねられた電線Ｗの端部に接続部としてのコネクタ等を介して電気接続箱１が電気的に接続される。ワイヤハーネスＷＨは、この他、さらに、グロメット、プロテクタ、固定具等を含んで構成されてもよい。
【００１６】
そして、電気接続箱１は、電子部品２と、電子部品２を収容する筐体３と、係止機構４とを備える。電気接続箱１は、筐体３に形成される収容空間部３４、及び、収容凹部３６に種々の電子部品２が収容される。本実施形態の電気接続箱１は、筐体３に挿通口３５を有し、筐体３に収容された電子部品２に電気的に接続される電線Ｗを、当該挿通口３５を介して筐体３の内外に渡って挿通する。以下、各図を参照して、電気接続箱１の各構成について具体的に説明する。
【００１７】
電子部品２は、筐体３の内部に収容され、電線Ｗが電気的に接続されるものである。電子部品２は、複数設けられる。電子部品２は、例えば、コネクタ、ヒューズ、リレー、コンデンサ、分岐部、電子制御ユニット、これらをユニット化した電子部品ユニット等である。ここでは、電子部品２は、収容空間部３４に収容される複数の第１電子部品２１と、収容凹部３６に収容される第２電子部品２２とを含んで構成される。複数の第１電子部品２１は、例えば、コネクタ、ヒューズ、リレー、分岐部、電子制御ユニット、これらをユニット化した電子部品ユニット等である。第２電子部品２２は、典型的には、第１電子部品２１より質量が大きい部品であり、例えば、略直方体形状に形成された大容量のコンデンサ等である。各第１電子部品２１は、それぞれ複数の電線Ｗのうちの少なくとも１つが接続され、第２電子部品２２は、複数の電線Ｗのうちの少なくとも他の１つが接続される。
【００１８】
筐体３は、内部に形成される収容空間部３４、収容凹部３６に電子部品２を収容するものである。筐体３は、収容部材としてのロアカバー３１、及び、蓋部材としてのアッパカバー３２を含んで構成され、ロアカバー３１とアッパカバー３２とが組み合わさって全体として略直方体箱状に形成される。筐体３は、ロアカバー３１、アッパカバー３２が分割された２層分割構造となっており、所定の積層方向に沿って積層され相互に組み付けられると共に内部に複数の第１電子部品２１を収容する収容空間部３４を区画する。ロアカバー３１、及び、アッパカバー３２は、絶縁性の合成樹脂によって形成される。
【００１９】
ロアカバー３１は、電子部品２（第１電子部品２１、第２電子部品２２）が組み付けられる収容空間部３４、収容凹部３６を形成する主たる部材である。ロアカバー３１は、鉛直方向上側に開口を有する皿状（トレイ状）の部材である。ロアカバー３１は、多角形筒状（矩形筒状）に形成された壁体である側壁部３１ａと、側壁部３１ａの一方の開口（鉛直方向下側の開口）を塞ぐ底部３１ｂとによって中空状に形成される。ロアカバー３１は、この電気接続箱１がエンジンルーム等に接続された状態で、鉛直方向上側に開口が位置する。アッパカバー３２は、ロアカバー３１の鉛直方向上側の開口を塞ぐ蓋状の部材である。アッパカバー３２は、多角形筒状（矩形筒状）に形成された壁体である側壁部３２ａと、側壁部３２ａの一方の開口（鉛直方向上側の開口）を塞ぐ天井部３２ｂとによって中空状に形成される。筐体３は、ロアカバー３１の開口とアッパカバー３２の開口とが対向するようにして、ロアカバー３１の鉛直方向上側にアッパカバー３２が組み付けられる。筐体３は、ロアカバー３１とアッパカバー３２とが種々の形式のロック機構３３を介して係止される。なお、ロアカバー３１とアッパカバー３２とが積層される積層方向は、典型的には、この電気接続箱１がエンジンルーム等に接続された状態で、鉛直方向に沿っているが、当該電気接続箱１の設置状況によっては当該積層される方向が鉛直方向に対して所定の角度を有して設置される場合もある。
【００２０】
そして、ロアカバー３１、及び、アッパカバー３２によって構成される筐体３は、収容空間部３４と、挿通口３５と、収容凹部３６とを有する。
【００２１】
収容空間部３４は、ロアカバー３１、及び、アッパカバー３２によって区画され、当該ロアカバー３１、及び、アッパカバー３２によって囲われた空間である。すなわち、収容空間部３４は、鉛直方向と交差する方向がロアカバー３１の側壁部３１ａ、アッパカバー３２の側壁部３２ａによって区画され、鉛直方向下側がロアカバー３１の底部３１ｂによって区画され、鉛直方向上側がアッパカバー３２の天井部３２ｂによって区画される。電気接続箱１は、この収容空間部３４内にブロック３７が設けられる。ブロック３７は、ロアカバー３１に対して着脱可能に組み付けられる。ブロック３７は、ロアカバー３１等と同様に絶縁性の合成樹脂によって形成されると共に多数のキャビティが形成される。電子部品２のうち、各第１電子部品２１は、このブロック３７のキャビティ内に組み付けられる。ブロック３７は、各キャビティに対して鉛直方向上側から第１電子部品２１が差し込まれ嵌合されると共に、鉛直方向下側から電線Ｗの端末を構成する端子等が差し込まれ嵌合されることで、各第１電子部品２１と電線Ｗとが電気的に接続される。
【００２２】
挿通口３５は、収容空間部３４内の電子部品２に接続される電線Ｗを筐体３の内外、言い換えれば、収容空間部３４の内外に渡って挿通させるものであり、ここでは、ロアカバー３１の側壁部３１ａの鉛直方向上端部とアッパカバー３２の側壁部３２ａの鉛直方向下端部との合わせ面に形成される。ここでは、挿通口３５は、断面形状が略円形状に形成され、ロアカバー３１、アッパカバー３２の積層方向と交差する方向、すなわち、水平方向に向けて開口する。収容空間部３４内の第１電子部品２１に接続される電線Ｗは、挿通口３５を介して筐体３の内外に渡って挿通され、配索される。
【００２３】
収容凹部３６は、収容空間部３４の鉛直方向下方に区画壁部３８を介して区画される。収容凹部３６は、ロアカバー３１において、区画壁部３８を隔てて収容空間部３４とは別の空間部として形成される。ここでは、収容凹部３６は、ロアカバー３１において、略直方体形状の空間部として形成され、水平方向一方側が閉塞し水平方向他方側に開口部３６ａが形成される。収容凹部３６の開口部３６ａは、ロアカバー３１において、積層方向と交差する方向の壁体、すなわち、側壁部３１ａを構成する１つの壁面に形成される。開口部３６ａは、断面形状が略矩形状に形成される。
【００２４】
なお、以下の説明では、開口部３６ａから水平方向に沿って収容凹部３６が延在する方向を「奥行き方向」という場合があり、閉塞した側を「奥側」という場合がある。また、鉛直方向と奥行き方向とに直交する方向を「幅方向」という場合がある。
【００２５】
具体的には、収容凹部３６は、当該収容凹部３６を収容空間部３４と区画するための区画壁部３８として、第１区画壁部３８ａ、第２区画壁部３８ｂ、第３区画壁部３８ｃの合計３つの壁部によって収容空間部３４と区画されている。またさらに、収容凹部３６は、側壁部３９ａ、底壁部３９ｂの合計２つの壁部によって筐体３の外部空間と区画されている。これら第１区画壁部３８ａ、第２区画壁部３８ｂ、第３区画壁部３８ｃ、側壁部３９ａ、及び、底壁部３９ｂは、ロアカバー３１の一部を構成するものである。
【００２６】
第１区画壁部３８ａは、収容凹部３６の鉛直方向上側の上面を区画する壁体である。第１区画壁部３８ａは、鉛直方向とほぼ直交し、水平方向に沿って延在する。第１区画壁部３８ａは、収容空間部３４の鉛直方向下方に介在して収容空間部３４と収容凹部３６とを区画する。第２区画壁部３８ｂは、収容凹部３６の水平方向閉塞側の面、言い換えれば、開口部３６ａと水平方向に対向する奥側の閉塞面（収容凹部３６の奥側の面）を区画する壁体である。第２区画壁部３８ｂは、鉛直方向に沿って延在する。第２区画壁部３８ｂは、収容空間部３４の水平方向側方に介在して収容空間部３４と収容凹部３６とを区画する。第３区画壁部３８ｃは、収容凹部３６において、第１区画壁部３８ａ、及び、第２区画壁部３８ｂとほぼ直交する面、言い換えれば、収容凹部３６の奥行き方向に沿った側面を区画する壁体である。第３区画壁部３８ｃは、鉛直方向に沿って延在する。第３区画壁部３８ｃは、収容空間部３４の水平方向側方に介在して収容空間部３４と収容凹部３６とを区画する。側壁部３９ａは、収容凹部３６において、第１区画壁部３８ａ、及び、第２区画壁部３８ｂとほぼ直交する面、言い換えれば、収容凹部３６の奥行き方向に沿った側面であって第３区画壁部３８ｃと水平方向（奥行き方向と直交する方向）に対向する側面を区画する壁体である。側壁部３９ａは、鉛直方向に沿って延在する。側壁部３９ａは、収容凹部３６の水平方向側方に介在して収容凹部３６と筐体３の外部空間とを区画する。側壁部３９ａは、ロアカバー３１の側壁部３１ａの一部を構成する。底壁部３９ｂは、収容凹部３６の鉛直方向下側の下面、さらに言えば、第１区画壁部３８ａと鉛直方向に対向する下面を区画する壁体である。底壁部３９ｂは、鉛直方向とほぼ直交し、水平方向に沿って延在する。底壁部３９ｂは、収容凹部３６の鉛直方向下方に介在して収容凹部３６と筐体３の外部空間とを区画する。底壁部３９ｂは、ロアカバー３１の底部３１ｂの一部を構成する。なおここでは、第１区画壁部３８ａ、第２区画壁部３８ｂ、第３区画壁部３８ｃ、側壁部３９ａ、及び、底壁部３９ｂは、表面や裏面に補強リブ３６ｂが設けられている。
【００２７】
収容凹部３６は、これら５つの壁部、すなわち、上面を構成する第１区画壁部３８ａ、閉塞面を構成する第２区画壁部３８ｂ、一方の側面を構成する第３区画壁部３８ｃ、他方の側面を構成する側壁部３９ａ、及び、下面を構成する底壁部３９ｂによって第２電子部品２２を収容可能な大きさの略直方体形状の空間部として形成される。収容凹部３６は、これら収容凹部３６を形成する壁面、すなわち、第１区画壁部３８ａ、第２区画壁部３８ｂ、第３区画壁部３８ｃ、側壁部３９ａ、及び、底壁部３９ｂの壁面によって、略直方体形状に形成された第２電子部品２２の、開口部３６ａ側の面以外の面を囲う。
【００２８】
係止機構４は、第２電子部品２２が収容凹部３６内に収容された状態で当該収容凹部３６内に位置し第２電子部品２２と筐体３とを係止するものである。本実施形態の係止機構４は、図３、図４、図５、図６に示すように、案内部４１と、係止部４２とを有する。本実施形態の係止機構４は、２つの案内部４１を有している。
【００２９】
各案内部４１は、筐体側案内部としての筐体側レール部４１ａと、電子部品側案内部としての部品側レール部４１ｂとを含んで構成される。
【００３０】
筐体側レール部４１ａは、筐体３を構成するロアカバー３１の収容凹部３６内に形成される。本実施形態の筐体側レール部４１ａは、収容凹部３６の鉛直方向下側の下面を構成する底壁部３９ｂの鉛直方向上側の面に奥行き方向に沿って形成される。筐体側レール部４１ａは、収容凹部３６内に開口部３６ａ側から奥側に水平方向に沿って形成される。ここでは、筐体側レール部４１ａは、底壁部３９ｂの鉛直方向上側の面において、奥行き方向中央部から第２区画壁部３８ｂまで線状に延在している。筐体側レール部４１ａは、底壁部３９ｂの鉛直方向上側の面から鉛直方向上側に突出すると共に先端部が幅方向に沿ってほぼ垂直に屈曲している。つまり、筐体側レール部４１ａは、幅方向に沿った断面形状が略Ｌ字型に形成される。２つの案内部４１のうちの一方の案内部４１の筐体側レール部４１ａと他方の案内部４１の筐体側レール部４１ａとは、幅方向に対して間隔をあけ、かつ、奥行き方向に沿って略平行に形成されると共に、先端部が互いに逆向きに屈曲している。ここでは、各筐体側レール部４１ａは、ともに先端部が幅方向に沿って収容凹部３６の外側に向けて互いに離間する方向に屈曲している。
【００３１】
部品側レール部４１ｂは、収容凹部３６内に収容される第２電子部品２２の表面に形成される。本実施形態の部品側レール部４１ｂは、第２電子部品２２の鉛直方向下側の下面に奥行き方向に沿って形成される。すなわち、部品側レール部４１ｂは、第２電子部品２２が収容凹部３６内に収容された状態で、底壁部３９ｂの鉛直方向上側の面と鉛直方向に対向する第２電子部品２２の下面に水平方向に沿って形成される。ここでは、部品側レール部４１ｂは、第２電子部品２２の下面において、奥行き方向の一方側の端部近傍から他方側の端部近傍まで線状に延在している。部品側レール部４１ｂは、第２電子部品２２の鉛直方向下側の下面から鉛直方向下側に突出すると共に先端部が幅方向に沿ってほぼ垂直に屈曲している。つまり、部品側レール部４１ｂは、幅方向に沿った断面形状が略Ｌ字型に形成される。２つの案内部４１のうちの一方の案内部４１の部品側レール部４１ｂと他方の案内部４１の部品側レール部４１ｂとは、幅方向に対して間隔をあけ、かつ、奥行き方向に沿って略平行に形成されると共に、先端部が互いに逆向きに屈曲している。ここでは、各部品側レール部４１ｂは、ともに先端部が幅方向に沿って収容凹部３６の内側に向けて互いに接近する方向に屈曲している。各部品側レール部４１ｂは、第２電子部品２２が収容凹部３６内に収容された状態で、それぞれ筐体側レール部４１ａの幅方向外側に位置し、屈曲した先端部が筐体側レール部４１ａの先端部と相互に噛み沿う位置に形成される。
【００３２】
つまり、係止機構４は、幅方向に対して２つの部品側レール部４１ｂによって２つの筐体側レール部４１ａを挟み込み、幅方向に対向する筐体側レール部４１ａと部品側レール部４１ｂとの屈曲した先端部が相互に噛み合って係合する（図３、図７等参照）。そして、各案内部４１は、各筐体側レール部４１ａと各部品側レール部４１ｂとがそれぞれ係合した状態で、各部品側レール部４１ｂが各筐体側レール部４１ａによって奥行き方向（水平方向）に沿って案内されることで、第２電子部品２２を収容凹部３６に挿入する際に第２電子部品２２を奥行き方向に沿って案内し幅方向に位置決めすることができる。
【００３３】
なお、各部品側レール部４１ｂは、第２電子部品２２が収容凹部３６内に収容された状態で開口部３６ａ側に位置する端部に規制部４１ｃが形成されている。各規制部４１ｃは、第２電子部品２２が収容凹部３６内の所定の位置まで挿入された状態で、各筐体側レール部４１ａの奥行き方向の開口部３６ａ側の端部と当接することで、第２電子部品２２の奥行き方向奥側への移動を規制し位置決めする（図８等参照）。
【００３４】
係止部４２は、筐体側係止部４２ａと、電子部品側係止部としての部品側係止部４２ｂとを含んで構成される。
【００３５】
筐体側係止部４２ａは、筐体３を構成するロアカバー３１の収容凹部３６内に形成される。本実施形態の筐体側係止部４２ａは、上述の筐体側レール部４１ａが形成されている面、すなわち、収容凹部３６の鉛直方向下側の下面を構成する底壁部３９ｂの鉛直方向上側の面に幅方向に沿って形成される。筐体側係止部４２ａは、底壁部３９ｂの鉛直方向上側の面から鉛直方向上側に突出した板状に形成され、幅方向に沿って一方の筐体側レール部４１ａから他方の筐体側レール部４１ａまで延在して形成される。また、筐体側係止部４２ａは、奥行き方向の開口部３６ａ側の面の両端に筐体側傾斜部４２ｃが形成されている。筐体側傾斜部４２ｃは、第２電子部品２２を収容凹部３６に挿入する際に後述する部品側係止部４２ｂを鉛直方向上側に押し上げて筐体側係止部４２ａを乗り越えさせるための傾斜面である。筐体側傾斜部４２ｃは、奥行き方向の開口部３６ａ側の端が底壁部３９ｂの鉛直方向上側の面上に位置し、奥行き方向奥側に行くにしたがって徐々に鉛直方向上側に向かい、奥行き方向の奥側の端が筐体側係止部４２ａの板状部分の上端に位置する傾斜面として形成される。そして、筐体側係止部４２ａは、奥行き方向の奥側の面が部品側係止部４２ｂと当接する筐体側当接面４２ｄとして形成される。
【００３６】
部品側係止部４２ｂは、収容凹部３６内に収容される第２電子部品２２の表面に形成される。本実施形態の部品側係止部４２ｂは、上述の部品側レール部４１ｂが形成されている面、すなわち、第２電子部品２２の鉛直方向下側の下面に幅方向に沿って形成される。すなわち、部品側係止部４２ｂは、第２電子部品２２が収容凹部３６内に収容された状態で、底壁部３９ｂの鉛直方向上側の面と鉛直方向に対向する第２電子部品２２の下面に水平方向に沿って形成される。部品側係止部４２ｂは、第２電子部品２２の鉛直方向下側の下面から鉛直方向下側に突出した台形梁状に形成され、幅方向に沿って一方の部品側レール部４１ｂの近傍から他方の部品側レール部４１ｂの近傍まで延在して形成される。ただし、第２電子部品２２は、各部品側レール部４１ｂと部品側係止部４２ｂの各端部との間には上述の筐体側レール部４１ａを挿入可能な程度の隙間が確保されている。また、部品側係止部４２ｂは、奥行き方向の奥側の面に部品側傾斜部４２ｅが形成されている。部品側傾斜部４２ｅは、第２電子部品２２を収容凹部３６に挿入する際に筐体側傾斜部４２ｃによって鉛直方向上側に押し上げられる傾斜面である。部品側傾斜部４２ｅは、奥行き方向の奥側の端が第２電子部品２２の鉛直方向下側の下面上に位置し、奥行き方向の開口部３６ａ側に行くにしたがって徐々に鉛直方向下側に向かい、奥行き方向の開口部３６ａ側の端が部品側係止部４２ｂの梁状部分の下端に位置する傾斜面として形成される。そして、部品側係止部４２ｂは、奥行き方向の開口部３６ａ側の面が筐体側当接面４２ｄと当接する部品側当接面４２ｆとして形成される。
【００３７】
係止部４２は、第２電子部品２２を収容凹部３６に挿入する際に、第２電子部品２２の部品側傾斜部４２ｅが筐体側傾斜部４２ｃに当接し案内されながら第２電子部品２２全体で鉛直方向上側に押し上げられることで、部品側係止部４２ｂが筐体側係止部４２ａを乗り越える。そして、係止部４２は、部品側係止部４２ｂが筐体側係止部４２ａを乗り越えて筐体側係止部４２ａの奥行き方向奥側に位置することで、部品側当接面４２ｆと筐体側当接面４２ｄとが当接し部品側係止部４２ｂが筐体側係止部４２ａに係止される（図９参照）。これにより、係止部４２は、第２電子部品２２を収容凹部３６内の所定の位置に係止することができる。
【００３８】
上記のように構成される電気接続箱１は、第２電子部品２２を収容凹部３６に挿入する際に案内部４１を構成する各筐体側レール部４１ａと各部品側レール部４１ｂとがそれぞれ係合した状態で、各部品側レール部４１ｂが各筐体側レール部４１ａによって奥行き方向に沿って案内される。これにより、電気接続箱１は、第２電子部品２２を収容凹部３６に挿入する際に第２電子部品２２を奥行き方向に沿って案内することができると共に第２電子部品２２を幅方向に位置決めすることができる。このとき、電気接続箱１は、係止部４２を構成する部品側傾斜部４２ｅが筐体側傾斜部４２ｃによって第２電子部品２２全体で鉛直方向上側に押し上げられることで、部品側係止部４２ｂが筐体側係止部４２ａを乗り越える。そして、電気接続箱１は、係止部４２を構成する部品側係止部４２ｂの部品側当接面４２ｆと筐体側係止部４２ａの筐体側当接面４２ｄとが当接することで、部品側係止部４２ｂが筐体側係止部４２ａに係止され、これにより、第２電子部品２２を収容凹部３６内に係止することができる。また、電気接続箱１は、部品側係止部４２ｂが筐体側係止部４２ａに係止された状態で、各規制部４１ｃと各筐体側レール部４１ａの奥行き方向の開口部３６ａ側の端部とが当接すると共に、一部の補強リブ３６ｂの端面が第２電子部品２２の表面に当接することで、第２電子部品２２を収容凹部３６内の所定の位置に確実に位置決めすることができる。
【００３９】
以上で説明した電気接続箱１によれば、内部に形成され第１電子部品２１を収容する収容空間部３４、及び、収容空間部３４の鉛直方向下方に区画壁部３８を介して区画されると共に水平方向一方側が閉塞し水平方向他方側に開口部３６ａが形成され第２電子部品２２を収容する収容凹部３６を有する筐体３と、第２電子部品２２が収容凹部３６内に収容された状態で当該収容凹部３６内に位置し第２電子部品２２と筐体３とを係止する係止機構４とを備える。以上で説明したワイヤハーネスＷＨによれば、複数の電線Ｗと、上記電気接続箱１とを備える。
【００４０】
したがって、電気接続箱１、ワイヤハーネスＷＨは、筐体３の内部に形成された収容空間部３４内に第１電子部品２１を収容し、収容空間部３４の鉛直方向下方に区画壁部３８を介して区画される収容凹部３６内に第２電子部品２２を収容する。ここで、第２電子部品２２を収容する収容凹部３６は、水平方向一方側が閉塞し水平方向他方側に開口部３６ａが形成され、水平方向に開口した当該開口部３６ａを介して水平方向に沿って第２電子部品２２が挿入され、係止機構４は、当該収容凹部３６内にて、収容凹部３６に挿入された第２電子部品２２と筐体３とを係止する。これにより、電気接続箱１、ワイヤハーネスＷＨは、収容凹部３６に対して第２電子部品２２を水平方向に沿って収容し鉛直方向に対して確実に保持することできる構成であるので耐振動性能を向上することができ、例えば、車両振動等に伴って第２電子部品２２に上下振動が作用しても第２電子部品２２を収容凹部３６内で確実に保持することができる。そして、電気接続箱１、ワイヤハーネスＷＨは、収容凹部３６に対して第２電子部品２２を水平方向に沿って挿入し収容凹部３６内の係止機構４にて係止することで第２電子部品２２を筐体３に組み付けることができるので、組み付け作業性も向上することができる。この結果、電気接続箱１、ワイヤハーネスＷＨは、筐体３に対して第２電子部品２２を適正に組み付けることができる。
【００４１】
ここでは、電気接続箱１、ワイヤハーネスＷＨは、第１電子部品２１と比較して質量の大きい重量物である第２電子部品２２を、収容空間部３４の鉛直方向下方に区画された収容凹部３６内に収容するので、重心を筐体３の下方側に配置することができる。この結果、電気接続箱１、ワイヤハーネスＷＨは、耐振動性能をさらに向上した上で、筐体３に対して第２電子部品２２を適正に組み付けることができる。
【００４２】
さらに、以上で説明した電気接続箱１、ワイヤハーネスＷＨによれば、収容凹部３６は、当該収容凹部３６を形成する壁面、ここでは、第１区画壁部３８ａ、第２区画壁部３８ｂ、第３区画壁部３８ｃ、側壁部３９ａ、及び、底壁部３９ｂの壁面によって第２電子部品２２の、開口部３６ａ側の面以外の面を囲う。したがって、電気接続箱１、ワイヤハーネスＷＨは、第１区画壁部３８ａ、第２区画壁部３８ｂ、第３区画壁部３８ｃ、側壁部３９ａ、及び、底壁部３９ｂの壁面によって第２電子部品２２を確実に保護することができ、例えば、外部からの衝撃に対して第２電子部品２２を確実に保護することができる。
【００４３】
さらに、以上で説明した電気接続箱１、ワイヤハーネスＷＨによれば、係止機構４は、収容凹部３６内に開口部３６ａ側から奥側に水平方向に沿って形成される筐体側レール部４１ａと第２電子部品２２に形成され筐体側レール部４１ａと係合し水平方向に沿って案内される部品側レール部４１ｂとを含んで構成される案内部４１、及び、収容凹部３６内に形成される筐体側係止部４２ａと第２電子部品２２に形成され筐体側係止部４２ａに係止される部品側係止部４２ｂとを含んで構成される係止部４２を有する。したがって、電気接続箱１、ワイヤハーネスＷＨは、第２電子部品２２を収容凹部３６に挿入する際に、案内部４１の筐体側レール部４１ａ、部品側レール部４１ｂによって第２電子部品２２を奥行き方向に沿って案内し位置決めすることで取り付け作業性を向上した上で、係止部４２の筐体側係止部４２ａ、部品側係止部４２ｂによって第２電子部品２２を収容凹部３６内に係止することができる。
【００４４】
なお、上述した本発明の実施形態に係る電気接続箱、及び、ワイヤハーネスは、上述した実施形態に限定されず、特許請求の範囲に記載された範囲で種々の変更が可能である。
【００４５】
以上で説明した筐体３は、ロアカバー３１、アッパカバー３２が分割された２層分割構造となっているものとして説明したがこれに限らず、３層分割構造、あるいは、それ以上の分割構造となっていてもよい。
【００４６】
以上の説明では、筐体側レール部４１ａ、筐体側係止部４２ａは、収容凹部３６の鉛直方向下側の下面を構成する底壁部３９ｂの鉛直方向上側の面に形成され、部品側レール部４１ｂ、部品側係止部４２ｂは、第２電子部品２２の鉛直方向下側の下面に形成されるものとして説明したがこれに限らない。筐体側レール部４１ａ、部品側レール部４１ｂは、収容凹部３６内において互いに係合可能な位置に形成されればよく、同様に、筐体側係止部４２ａ、部品側係止部４２ｂは、収容凹部３６内において互いに係止可能な位置に形成されればよい。
【００４７】
以上で説明した係止機構４は、筐体側レール部４１ａと部品側レール部４１ｂとを含んで構成される案内部４１、及び、筐体側係止部４２ａと部品側係止部４２ｂとを含んで構成される係止部４２を有するものとして説明したがこれに限らず、収容凹部３６内に位置し第２電子部品２２と筐体３とを係止するものであれば他の形式の構成であってもよい。
【００４８】
以上で説明した第２電子部品２２は、典型的には、第１電子部品２１より質量が大きい部品であり、例えば、略直方体形状に形成された大容量のコンデンサ等であるものとして説明したがこれに限らない。第２電子部品２２は、略直方体形状でなくてもよく、この場合、収容凹部３６も第２電子部品２２の形状に合わせて適宜変更されればよい。
【符号の説明】
【００４９】
１    電気接続箱
２    電子部品
３    筐体
４    係止機構
２１    第１電子部品
２２    第２電子部品
３４    収容空間部
３６    収容凹部
３６ａ    開口部
３８    区画壁部
４１    案内部
４１ａ    筐体側レール部（筐体側案内部）
４１ｂ    部品側レール部（電子部品側案内部）
４２    係止部
４２ａ    筐体側係止部
４２ｂ    部品側係止部（電子部品側係止部）
Ｗ    電線
ＷＨ    ワイヤハーネス
【図１】
2016208675.tif 000003
【図２】
2016208675.tif 000004
【図３】
2016208675.tif 000005
【図４】
2016208675.tif 000006
【図５】
2016208675.tif 000007
【図６】
2016208675.tif 000008
【図７】
2016208675.tif 000009
【図８】
2016208675.tif 000010
【図９】
2016208675.tif 000011